(57)【要約】  【課題】  携帯型の情報処理装置が表示する情報の確認及び情報処理装置の操作を容易にすることができる充電システム及び充電装置を提供する。  【解決手段】  充電装置１は、携帯型の音楽プレーヤ（情報処理装置）２の表示部２０１よりも表示画面が大である表示部１０１を備え、音楽プレーヤ２が装着された場合に、音楽プレーヤ２を充電すると共に、音楽プレーヤ２が行う処理に必要な情報を表示部１０１で表示する。またこの状態で、音楽プレーヤ２は、充電装置１の操作部１０２に入力された処理指示に従って音声の出力等の情報処理を実行する。これにより、音楽プレーヤ２単体に比べて、情報の表示がより大きくなり、操作ボタン等がより大きくなって操作が容易となる。また充電装置１は内部に二次電池を備え、外部に電源がない場合でも音楽プレーヤ２の充電を可能とする。【選択図】        図２
2006320053.tif 000002
【特許請求の範囲】
【請求項１】
内部に二次電池を備える情報処理装置と、該情報処理装置が装着可能な装着部及び該装着部に装着された前記情報処理装置の二次電池を充電する手段を備える充電装置とを含む充電システムにおいて、
前記充電装置は、
前記装着部に装着された前記情報処理装置から情報を読み出す読出手段と、
該読出手段が前記情報処理装置から読み出した情報を表示する表示手段と、
前記情報処理装置が行う情報処理に係る処理指示を使用者の操作により入力される操作部と、
該操作部に入力された前記処理指示を前記情報処理装置へ入力する手段とを備え、
前記情報処理装置は、
前記装着部に装着された状態で前記充電装置から入力された前記処理指示に従って情報処理を行うように構成してあること
を特徴とする充電システム。
【請求項２】
前記情報処理装置は、情報を表示する表示部を備えており、
前記読出手段は、前記情報処理装置が前記装着部に装着されていない状態では前記表示部に表示させるべき情報を前記情報処理装置から読み出すように構成してあり、
前記表示手段は、前記情報処理装置の表示部よりも大きい表示画面を有すること
を特徴とする請求項１に記載の充電システム。
【請求項３】
内部に二次電池を備える情報処理装置が装着可能な装着部と、該装着部に装着された情報処理装置の二次電池を充電する充電手段とを備える充電装置において、
前記装着部に装着された情報処理装置から情報を読み出す手段と、
該手段が前記情報処理装置から読み出した情報を表示する表示手段と、
前記情報処理装置が行う情報処理に係る処理指示を使用者の操作により入力される操作部と、
該操作部に入力された前記処理指示を前記情報処理装置へ入力する手段と
を備えることを特徴とする充電装置。
【請求項４】
二次電池を更に備え、
前記充電手段は、前記二次電池から得られる電力で前記情報処理装置の二次電池を充電する手段を有すること
を特徴とする請求項３に記載の充電装置。
【発明の詳細な説明】
【技術分野】
【０００１】
本発明は、携帯型の音楽プレーヤ又は携帯電話機等の携帯型装置の充電を行う充電システム及び充電装置に関する。
【背景技術】
【０００２】
従来、ハードディスク又は半導体メモリ等の記憶手段を内部に備え、デジタルの音楽データを記憶手段で記憶する携帯型の音楽プレーヤが普及している。このような音楽プレーヤは、音楽データを記憶手段で記憶し、記憶している音楽データに基づいて音楽を再生する。また従来、携帯電話機が広く普及している。近年の携帯電話機は、単なる通話のみならず、テレビ電話機能又はゲーム機能等の他種類の機能を備えている。これら音楽プレーヤ又は携帯電話機等の携帯型の情報処理装置は、通常は液晶ディスプレイ等の小型のディスプレイと操作部とを備え、必要な情報をディスプレイに表示し、使用者はディスプレイに表示された情報を確認しながら操作部を操作する。またこれらの携帯型の情報処理装置は、携帯性を高めるために小型軽量化が進められており、特に音楽データの記憶手段として半導体メモリを用いた音楽プレーヤは、小型軽量化が著しい。
【０００３】
以上の如き携帯型の情報処理装置は、内部に二次電池を備え、二次電池の電力によって稼動している。通常は、商用電源に接続された充電装置を用い、充電装置に情報処理装置を装着することで情報処理装置内部の二次電池の充電を行う。特許文献１には、充電装置の例が開示されている。特許文献１に開示された充電装置は、液晶ディスプレイを備え、充電方法に係る情報を表示する構成となっている。
【特許文献１】特開２００３−１３４６９９号公報
【発明の開示】
【発明が解決しようとする課題】
【０００４】
しかしながら、携帯型の音楽プレーヤ又は携帯電話機等の携帯型の情報処理装置の小型軽量化は、情報処理装置の携帯性を向上させる反面、ディスプレイの大きさが小さくなるので、ディスプレイに表示される文字が小さくなるか又は表示される情報量が減少し、使用者が必要とする情報を確認することが困難になる。また通常複数のボタンからなる情報処理装置の操作部は、情報処理装置の小型軽量化に伴って、個々のボタンが小型化するか又はボタンの数が減少するので、使用者が行う操作がより困難になるという問題がある。
【０００５】
また従来の充電装置は、商用電源から得られた電力を情報処理装置へ供給して充電する構成であるので、自動車の中等、充電装置を商用電源に接続することができない場合は、情報処理装置を充電することができないという問題がある。
【０００６】
本発明は、斯かる事情に鑑みてなされたものであって、その目的とするところは、携帯型の情報処理装置を充電装置に装着することによって、情報処理装置が表示する情報の確認及び情報処理装置の操作を容易にすることができる充電システム及び充電装置を提供することにある。
【０００７】
また本発明の他の目的とする所は、商用電源に接続できない場合でも携帯型の情報処理装置を充電することができる充電装置を提供することにある。
【課題を解決するための手段】
【０００８】
本発明に係る充電システムは、内部に二次電池を備える情報処理装置と、該情報処理装置が装着可能な装着部及び該装着部に装着された前記情報処理装置の二次電池を充電する手段を備える充電装置とを含む充電システムにおいて、前記充電装置は、前記装着部に装着された前記情報処理装置から情報を読み出す読出手段と、該読出手段が前記情報処理装置から読み出した情報を表示する表示手段と、前記情報処理装置が行う情報処理に係る処理指示を使用者の操作により入力される操作部と、該操作部に入力された前記処理指示を前記情報処理装置へ入力する手段とを備え、前記情報処理装置は、前記装着部に装着された状態で前記充電装置から入力された前記処理指示に従って情報処理を行うように構成してあることを特徴とする。
【０００９】
本発明に係る充電システムは、前記情報処理装置は、情報を表示する表示部を備えており、前記読出手段は、前記情報処理装置が前記装着部に装着されていない状態では前記表示部に表示させるべき情報を前記情報処理装置から読み出すように構成してあり、前記表示手段は、前記情報処理装置の表示部よりも大きい表示画面を有することを特徴とする。
【００１０】
本発明に係る充電装置は、内部に二次電池を備える情報処理装置が装着可能な装着部と、該装着部に装着された情報処理装置の二次電池を充電する充電手段とを備える充電装置において、前記装着部に装着された情報処理装置から情報を読み出す手段と、該手段が前記情報処理装置から読み出した情報を表示する表示手段と、前記情報処理装置が行う情報処理に係る処理指示を使用者の操作により入力される操作部と、該操作部に入力された前記処理指示を前記情報処理装置へ入力する手段とを備えることを特徴とする。
【００１１】
本発明に係る充電装置は、二次電池を更に備え、前記充電手段は、前記二次電池から得られる電力で前記情報処理装置の二次電池を充電する手段を有することを特徴とする。
【００１２】
本発明においては、装着された音楽プレーヤ又は携帯電話機等の情報処理装置を充電する充電装置は、表示手段及び操作部を備え、装着された情報処理装置から情報を読み出して表示手段で表示し、操作部に入力された各種の処理指示に従った処理を情報処理装置に実行させる。
【００１３】
また本発明においては、充電装置の表示手段は、情報処理装置の表示部よりも大きい表示画面を有しており、情報処理装置が充電装置に装着されていない状態では情報処理装置の表示部に表示させるべき情報を、情報処理装置が充電装置に装着されている場合に表示する。
【００１４】
更に本発明においては、充電装置は、内部に二次電池を備え、二次電池からの電力を用いて情報処理装置を充電することができる。
【発明の効果】
【００１５】
本発明にあっては、充電装置の操作部は、情報処理装置の操作部よりもボタン若しくはスイッチ等を大きく構成するか、又はより多数のボタン若しくはスイッチ等で構成することが可能であるので、情報処理装置が充電装置に装着された場合に、充電装置が備える操作部に入力された処理指示に従って情報処理装置が情報処理を実行することにより、使用者は、情報処理装置に情報処理を実行させるために必要な操作をより容易に行うことが可能となる。
【００１６】
また本発明にあっては、充電装置の表示手段に情報が表示される場合は、情報処理装置の表示部に情報が表示される場合に比べて、表示される文字がより大きくなるか又は一度に表示される情報量が増大するので、情報処理装置が充電装置に装着された場合に、情報処理装置が行う情報処理に必要な情報を充電装置の表示手段で表示することにより、使用者が必要とする情報を確認することが容易になる。
【００１７】
また本発明にあっては、充電装置は、内部に備えた二次電池からの電力で情報処理装置を充電することも可能であるので、自動車の中等、商用電源を用いた充電を行うことができない状態でも情報処理装置を充電することが可能となる等、本発明は優れた効果を奏する。
【発明を実施するための最良の形態】
【００１８】
以下本発明をその実施の形態を示す図面に基づき具体的に説明する。
（実施の形態１）
図１は、本発明の充電装置の外観の例を示す斜視図である。充電装置１は、図１に図示しない携帯型の情報処理装置が装着される装着部１０を備え、装着部１０に装着された情報処理装置を充電する構成となっている。充電装置１は、情報を表示する液晶ディスプレイ等の表示部（表示手段）１０１と、使用者から操作される複数のボタン又はスイッチ等からなる操作部１０２とを備えている。本実施の形態では、本発明に係る情報処理装置として、携帯型の音楽プレーヤを用いた例を説明する。
【００１９】
図２は、充電装置１に音楽プレーヤ２が装着された本発明の充電システムの外観の例を示す斜視図である。音楽プレーヤ２は、本発明に係る情報処理装置であり、充電装置１の装着部１０に装着可能な構成となっている。音楽プレーヤ２も、情報を表示する表示部２０１と使用者から操作される操作部２０２とを備えている。充電装置１の表示部１０１は、音楽プレーヤ２の表示部２０１よりも表示画面が大きく構成されている。また充電装置１の操作部１０２は、音楽プレーヤ２の操作部２０２よりもボタン又はスイッチ等が大きく操作しやすいように構成されている。充電装置１は、図に示す如く装着部１０に音楽プレーヤ２が装着された状態で、音楽プレーヤ２を充電する。
【００２０】
図３は、充電装置１及び音楽プレーヤ２の内部の機能構成を示すブロック図である。充電装置１は、充電装置１の動作を制御する処理を行うＣＰＵ１０３と、ＣＰＵ１０３が行う処理に必要な各種の情報を記憶するＲＡＭ１０４と、ＣＰＵ１０３に充電装置１の動作を制御する処理を行わせる処理プログラムを記憶するＲＯＭ１０５とを備えている。またＣＰＵ１０３には表示部１０１及び操作部１０２が接続されている。表示部１０１は、ＣＰＵ１０３の制御により必要な情報を表示し、操作部１０２は、使用者が操作することによって各種の処理指示を入力する構成となっている。
【００２１】
また充電装置１は、電源部１０７を備え、電源部１０７には、二次電池１０８及びＡＣ／ＤＣ変換部１０９が接続されている。またＡＣ／ＤＣ変換部１０９には、ＡＣコード接続端子１１０が接続されている。ＡＣコード接続端子１１０は、ＡＣコードを接続され、ＡＣコードを介して商用電源等の図示しない外部の交流電源から交流電流を供給される。ＡＣ／ＤＣ変換部１０９は、外部からＡＣコード接続端子１１０へ供給された交流電流を直流電流に変換して電源部１０７又は二次電池１０８へ供給する。二次電池１０８は、ＡＣ／ＤＣ変換部１０９から供給された電流によって充電され、必要に応じて電源部１０７へ電流を供給する。電源部１０７は、ＡＣ／ＤＣ変換部１０９又は二次電池１０８から電流を供給され、充電装置１全体に電力を供給する構成となっている。
【００２２】
ＣＰＵ１０３及び電源部１０７は、装着部１０に設けられた、音楽プレーヤ２が接続するためのコネクタ１０６に接続されている。ＣＰＵ１０３は、コネクタ１０６を介して音楽プレーヤ２との間で情報を入出力し、電源部１０７は、コネクタ１０６を介して音楽プレーヤ２へ電力を供給する構成となっている。
【００２３】
音楽プレーヤ２は、処理を行うＣＰＵ２０３と、各種の情報を記憶するＲＡＭ２０４と、処理プログラムを記憶するＲＯＭ２０５とを備えている。ＣＰＵ２０３には、表示部２０１及び操作部２０２が接続されており、更に半導体メモリ又はハードディスク等の記憶部２０６と、スピーカ又はヘッドホン等で音声を出力する出力部２０７とが接続されている。記憶部２０６は、ＭＰ３（MPEG-1 Audio Layer-3）ファイル等のデジタルデータである複数の音楽データを記憶し、出力部２０７は、音楽データをデコードし、デコードした音楽データに基づいた音楽の音声を出力する構成となっている。なお、ＣＰＵ２０３が音楽データのデコードを行う形態であってもよい。
【００２４】
また音楽プレーヤ２は、電源部２０８を備え、電源部２０８には二次電池２０９が接続されている。二次電池２０９は電源部２０８へ電流を供給し、電源部２０８は音楽プレーヤ２全体へ電力を供給する。ＣＰＵ２０３及び電源部２０８は、充電装置１のコネクタ１０６に接続するためのコネクタ２１０に接続されている。ＣＰＵ２０３は、コネクタ２１０を介して充電装置１との間で情報を入出力し、電源部２０８は、コネクタ２１０を介して外部から電力を供給される。
【００２５】
音楽プレーヤ２が装着部１０に装着された場合に、充電装置１のコネクタ１０６と音楽プレーヤ２のコネクタ２１０とが互いに接続されるように、充電装置１及び音楽プレーヤ２は構成されている。この状態では、電力が充電装置１から音楽プレーヤ２へ供給され、音楽プレーヤ２の二次電池２０９が充電される。また充電装置１の二次電池１０８は、音楽プレーヤ２の二次電池２０９よりも大容量に構成してある。
【００２６】
図４は、充電装置１が音楽プレーヤ２を充電する処理の手順を示すフローチャートである。充電装置１のＣＰＵ１０３は、音楽プレーヤ２が装着部１０に装着されることによってコネクタ１０６に音楽プレーヤ２のコネクタ２１０が接続されることを随時待ち受けている（Ｓ１１）。コネクタ１０６に音楽プレーヤ２のコネクタ２１０の接続がない場合は（Ｓ１１：ＮＯ）、ＣＰＵ１０３は、コネクタ１０６への接続の待ち受けを続行する。コネクタ１０６に音楽プレーヤ２のコネクタ２１０が接続された場合は（Ｓ１１：ＹＥＳ）、ＣＰＵ１０３は、ＡＣコード接続端子１１０を介して外部の交流電源からＡＣ／ＤＣ変換部１０９へ交流電流が供給されているか否かを判定する（Ｓ１２）。交流電流が供給されている場合は（Ｓ１２：ＹＥＳ）、ＣＰＵ１０３は、ＡＣ／ＤＣ変換部１０９が直流に変換した外部の交流電源からの電力を、電源部１０７にコネクタ１０６を介して音楽プレーヤ２へ供給させる（Ｓ１３）。ＡＣコード接続端子１１０にＡＣコードが接続されていないか又はＡＣコードが外部の交流電源に接続されていない等の原因により交流電流が供給されていない場合は（Ｓ１２：ＮＯ）、ＣＰＵ１０３は、二次電池１０８からの電力を、電源部１０７にコネクタ１０６を介して音楽プレーヤ２へ供給させる（Ｓ１４）。音楽プレーヤ２は、コネクタ２１０を介して充電装置１から電力を供給され、電源部２０８は供給された電力で二次電池２０９を充電する。
【００２７】
ステップＳ１３又はステップＳ１４が終了した後は、ＣＰＵ１０３は、コネクタ１０６から音楽プレーヤ２へ供給する電流又は電圧等の値に基づいて、音楽プレーヤ２の二次電池２０９が十分に充電されているか否かを判定する（Ｓ１５）。二次電池２０９がまだ十分に充電されていない場合は（Ｓ１５：ＮＯ）、ＣＰＵ１０３は、充電を継続させ（Ｓ１６）、使用者が音楽プレーヤ２を装着部１０から取り外すことによってコネクタ１０６が非接続状態になったか否かを随時判定する（Ｓ１７）。コネクタ１０６が非接続状態になっていない場合は（Ｓ１７：ＮＯ）、ＣＰＵ１０３は、処理をステップＳ１５へ戻す。ステップＳ１５で音楽プレーヤ２の二次電池２０９が十分に充電されている場合（Ｓ１５：ＹＥＳ）、又はステップＳ１７でコネクタ１０６が非接続状態になった場合は（Ｓ１７：ＹＥＳ）、ＣＰＵ１０３は、音楽プレーヤ２を充電する処理を終了する。
【００２８】
本発明では、音楽プレーヤ２が装着部１０に装着された場合に、充電装置１のＣＰＵ１０３がコネクタ１０６を介して音楽プレーヤ２内の情報を読み出し、音楽プレーヤ２が充電装置１に装着されていない状態では表示部２０１に表示されるべき情報を、表示部１０１で表示する。このようにして充電装置１のＣＰＵ１０３及びコネクタ１０６は、本発明に係る読出手段として機能する。また本発明では、音楽プレーヤ２が装着部１０に装着された場合に、使用者が充電装置１の操作部１０２を操作して各種の処理指示を入力し、操作部１０２に入力された処理指示に従って音楽プレーヤ２は処理を行う。一例として、音楽プレーヤ２が装着部１０に装着された状態で音楽プレーヤ２の記憶部２０６が記憶する音楽データに基づいて音声を出力する処理を説明する。
【００２９】
図５は、音楽プレーヤ２が充電装置１の装着部１０に装着された状態で音楽の音声を出力するために本発明の充電システムが行う処理の手順を示すフローチャートである。充電装置１のＣＰＵ１０３は、ＲＯＭ１０５が記憶する処理プログラムに従って以下の処理を実行する。充電装置１のＣＰＵ１０３は、使用者が操作部１０２を操作することにより、音楽プレーヤ２が音声を出力可能な音楽のリストの表示指示が入力されることを待ち受けている（Ｓ２０１）。音楽リストの表示指示の入力がなかった場合は（Ｓ２０１：ＮＯ）、ＣＰＵ１０３は、音楽リストの表示指示の入力の待ち受けを続行する。操作部１０２に音楽リストの表示指示が入力された場合は（Ｓ２０１：ＹＥＳ）、ＣＰＵ１０３は、音楽リストの要求をコネクタ１０６から音楽プレーヤ２へ入力する（Ｓ２０２）。音楽プレーヤ２は、コネクタ２１０で音楽リストの要求を受け付け（Ｓ２０３）、ＣＰＵ２０３は、記憶部２０６が記憶している音楽データに基づいて音声を出力可能な音楽のリストをコネクタ２１０から充電装置１へ出力する（Ｓ２０４）。
【００３０】
充電装置１は、コネクタ１０６で音楽プレーヤ２から音楽リストを受け付け（Ｓ２０５）、ＣＰＵ１０３は、受け付けた音楽リストを表示部１０１に表示させる（Ｓ２０６）。ＣＰＵ１０３は、次に、表示部１０１に表示された音楽リストを確認した使用者が操作部１０２を操作することにより、音声を出力すべき音楽の指定が入力されることを待ち受ける（Ｓ２０７）。音楽の指定の入力がない場合は（Ｓ２０７：ＮＯ）、ＣＰＵ１０３は、音楽の指定の入力の待ち受けを続行する。音楽の指定が操作部１０２に入力された場合は（Ｓ２０７：ＹＥＳ）、ＣＰＵ１０３は、指定された音楽の出力指示をコネクタ１０６から音楽プレーヤ２へ入力する（Ｓ２０８）。音楽プレーヤ２は、指定された音楽の出力指示をコネクタ２１０で受け付け（Ｓ２０９）、ＣＰＵ２０３は、記憶部２０６が記憶する指定された音楽に対応する音楽データに基づいて、指定された音楽の音声を出力部２０７に出力させる（Ｓ２１０）。音楽の音声の出力が終了した後は、ＣＰＵ２０３は、処理を終了する。
【００３１】
以上詳述した如く、本発明においては、充電装置１は、音楽プレーヤ２の表示部２０１よりも表示画面が大である表示部１０１を備え、音楽プレーヤ２が装着部１０に装着された場合は、音楽プレーヤ２が行う処理に必要な情報を表示部１０１で表示し、音楽プレーヤ２は、充電装置１が備える操作部１０２に入力された処理指示に従って音声の出力等の情報処理を実行する。充電装置１の表示部１０１に情報が表示される場合は、音楽プレーヤ２の表示部２０１に表示される場合に比べて、表示される文字がより大きくなるか又は一度に表示される情報量が増大するので、使用者が必要とする情報を確認することが容易になる。例えば、音楽プレーヤ２の表示部２０１では、音楽リストのごく一部のみが表示されるのに対し、充電装置１の表示部１０１では音楽リストのより多くの部分を一度に表示することができるので、使用者は目的の音楽を探索するのがより容易となる。また、充電装置１の操作部１０２は、音楽プレーヤ２の操作部２０２よりもボタン若しくはスイッチ等を大きく構成するか、又はより多数のボタン若しくはスイッチ等で構成することが可能であるので、音楽リストの中から目的の音楽を指定する操作等の操作をより容易に行うことが可能となる。
【００３２】
また本発明においては、充電装置１は、音楽プレーヤ２の二次電池２０９よりも大容量の二次電池１０８を備え、外部の交流電源又は二次電池１０８からの電力で音楽プレーヤ２の二次電池１０８を充電する。このように充電装置１は二次電池１０８を用いて音楽プレーヤ２を充電することも可能であるので、自動車の中等、商用電源を用いた充電を行うことができない状態でも、音楽プレーヤ２を充電することが可能となる。
【００３３】
（実施の形態２）
実施の形態１では、本発明に係る情報処理装置として携帯型の音楽プレーヤを用いた例を示したが、実施の形態２では、本発明に係る情報処理装置として携帯電話機を用いた例を示す。
【００３４】
図６は、充電装置１に携帯電話機３が装着された本発明の充電システムの外観の例を示す斜視図である。本発明の充電装置１の外観及び内部の機能構成は実施の形態１と同様であり、対応する部分に同符号を付してその説明を省略する。携帯電話機３は、本発明に係る情報処理装置であり、充電装置１の装着部１０に装着可能な構成となっている。携帯電話機３も、情報を表示する表示部３０１と使用者が操作する操作部３０２とを備えている。充電装置１の表示部１０１は、携帯電話機３の表示部３０１よりも表示画面が大きく構成されている。また充電装置１の操作部１０２は、携帯電話機３の操作部３０２よりもボタン又はスイッチ等が大きく、使用者が操作しやすいように構成されている。
【００３５】
図７は、携帯電話機３の内部の機能構成を示すブロック図である。携帯電話機３は、処理を行うＣＰＵ３０３と、各種の情報を記憶するＲＡＭ３０４と、処理プログラムを記憶するＲＯＭ３０５とを備えており、ＣＰＵ３０３には、表示部３０１及び操作部３０２が接続されている。またＣＰＵ３０３には、レンズ等の光学系、ＣＣＤ等の撮像素子、及び画像処理回路等からなり、外部を撮影する撮影部３０６と、外部と通信を行う通信部３０７と、マイク及びスピーカ等からなる音声入出力部３０８とが接続されている。携帯電話機３は、音声入出力部３０８で入出力される音声を図示しない他の通信装置と交換する音声通信を行う構成となっている。また携帯電話機３は、撮影部３０６で撮影した外部の画像を通信部３０７で送信し、別の画像を通信部３０７で受信し、受信した画像を表示部３０１に表示させることによって、画像通信を行うことができる構成となっている。即ち、携帯電話機３は、テレビ電話通信を行うことができる。
【００３６】
またＲＯＭ３０５又はＲＡＭ３０４は、携帯電話機３でゲームを実行するためのゲームプログラムを記憶している。ゲームプログラムは予めＲＯＭ３０５が記憶していてもよく、ダウンロードによって取得したゲームプログラムをＲＡＭ３０４が記憶してもよい。ＣＰＵ３０３は、ＲＯＭ３０５又はＲＡＭ３０４が記憶するゲームプログラムに従って、操作部３０２にゲーム用の処理指示が入力され、表示部３０１にゲーム用の画像を表示することによってゲームを実行することができる。
【００３７】
また携帯電話機３は、電源部３０９を備え、電源部３０９には二次電池３１０が接続されている。二次電池３１０は電源部３０９へ電流を供給し、電源部３０９は携帯電話機３全体へ電力を供給する。ＣＰＵ３０３及び電源部３０９は、充電装置１のコネクタ１０６に接続するためのコネクタ３１１に接続されている。ＣＰＵ３０３は、コネクタ３１１を介して充電装置１との間で情報を入出力し、電源部３０９は、コネクタ３１１を介して外部から電力を供給される。
【００３８】
携帯電話機３が充電装置１の装着部１０に装着された場合に、充電装置１のコネクタ１０６と携帯電話機３のコネクタ３１１とが互いに接続されるように、充電装置１及び携帯電話機３は構成されている。また充電装置１の二次電池１０８は、携帯電話機３の二次電池３１０よりも大容量に構成してある。携帯電話機３が充電装置１の装着部１０に装着された状態では、充電装置１は、外部の交流電源又は二次電池１０８からの電力をコネクタ１０６を介して携帯電話機３へ供給し、携帯電話機３は、コネクタ３１１を介して充電装置１から供給された電力で二次電池３１０を充電する。充電装置１が携帯電話機３を充電する処理の手順は、図４を用いて実施の形態１で説明した充電装置１が音楽プレーヤ２を充電する処理の手順と同様である。
【００３９】
次に、携帯電話機３が充電装置１に装着された状態で行う処理を説明する。一例として、携帯電話機３が充電装置１に装着された状態でテレビ電話通信と、ゲームの実行とを行う処理を説明する。
【００４０】
図８は、携帯電話機３が充電装置１の装着部１０に装着された状態でテレビ電話通信を行うために本発明の充電システムが行う処理の手順を示すフローチャートである。充電装置１のＣＰＵ１０３は、使用者が操作部１０２を操作して相手先の電話番号を入力する等により、テレビ電話の発信指示が入力されることを待ち受けている（Ｓ３０１）。発信指示の入力がなかった場合は（Ｓ３０１：ＮＯ）、ＣＰＵ１０３は、発信指示の入力の待ち受けを続行する。操作部１０２に発信指示が入力された場合は（Ｓ３０１：ＹＥＳ）、ＣＰＵ１０３は、テレビ電話の発信指示をコネクタ１０６から携帯電話機３へ入力する（Ｓ３０２）。
【００４１】
携帯電話機３は、コネクタ３１１で発信指示を受け付け（Ｓ３０３）、ＣＰＵ３０３は、通信部３０７から図示しない相手先の通信装置へ信号を送信することにより、テレビ電話通信の発信を行う（Ｓ３０４）。ＣＰＵ３０３は、次に、相手先の通信装置から送信された信号を通信部３０７が受信することによる、テレビ電話通信が接続されることを待ち受ける（Ｓ３０５）。テレビ電話通信が接続されない場合は（Ｓ３０５：ＮＯ）、ＣＰＵ３０３は、接続の待ち受けを続行する。テレビ電話通信が接続された場合は（Ｓ３０５：ＹＥＳ）、ＣＰＵ３０３は、撮影部３０６に使用者の外観等の画像を取得させ、音声入出力部３０８に使用者の声等の音声を取得させ（Ｓ３０６）、取得した画像及び音声の信号を通信部３０７に通信相手の通信装置へ送信させる（Ｓ３０７）。携帯電話機３は、次に、通信相手の通信装置から送信された画像及び音声の信号を通信部３０７で受信し（Ｓ３０８）、ＣＰＵ３０３は、受信した音声の信号に対応する音声を音声入出力部３０８に出力させ（Ｓ３０９）、受信した画像の信号をコネクタ３１１から充電装置１へ出力する（Ｓ３１０）。
【００４２】
充電装置１は、画像の信号をコネクタ１０６で携帯電話機３から受け付け（Ｓ３１１）、ＣＰＵ１０３は、受け付けた画像の信号に対応する画像を表示部１０１に表示させる（Ｓ３１２）。ＣＰＵ１０３は、次に、使用者が操作部１０２を操作することにより、テレビ電話通信の終了指示が入力されることを待ち受ける（Ｓ３１３）。テレビ電話通信の終了指示が操作部１０２に入力された場合は（Ｓ３１３：ＹＥＳ）、ＣＰＵ１０３は、テレビ電話通信の終了指示をコネクタ１０６から携帯電話機３へ入力する（Ｓ３１４）。テレビ電話通信の終了指示の入力がなかった場合は（Ｓ３１３：ＮＯ）、ＣＰＵ１０３は、携帯電話機３から入力される画像の信号をコネクタ１０６で受け付けることを待ち受ける（Ｓ３１５）。画像の信号の受付がない場合は（Ｓ３１５：ＮＯ）、ＣＰＵ１０３は、画像の信号の受付の待ち受けを続行する。画像の信号をコネクタ１０６で受け付けた場合は（Ｓ３１５：ＹＥＳ）、処理をステップＳ３１１へ戻す。
【００４３】
ステップＳ３１０が終了した後は、携帯電話機３のＣＰＵ３０３は、充電装置１からテレビ電話通信の終了指示が入力されることを待ち受ける（Ｓ３１６）。充電装置１からテレビ電話通信の終了指示が入力された場合は（Ｓ３１６：ＹＥＳ）、携帯電話機３は、コネクタ３１１でテレビ電話通信の終了指示を受け付け（Ｓ３１７）、ＣＰＵ３０３は受け付けた終了指示に従ってテレビ電話通信の処理を終了する。充電装置１からテレビ電話通信の終了指示の入力がない場合は（Ｓ３１６：ＮＯ）、ＣＰＵ３０３は、通信相手の通信装置から通信を遮断されたか否かを判定する（Ｓ３１８）。通信相手の通信装置からの通信の遮断がない場合は（Ｓ３１８：ＮＯ）、ＣＰＵ３０３は、処理をステップ３０６へ戻してテレビ電話通信を続行する。通信相手の通信装置から通信を遮断された場合は（Ｓ３１８：ＹＥＳ）、ＣＰＵ３０３は、テレビ電話通信の処理を終了する。
【００４４】
図９は、携帯電話機３が充電装置１の装着部１０に装着された状態でゲームを実行するために本発明の充電システムが行う処理の手順を示すフローチャートである。充電装置１のＣＰＵ１０３は、使用者が操作部１０２を操作することにより、ゲームの実行指示が入力されることを待ち受けている（Ｓ４０１）。ゲームの実行指示の入力がなかった場合は（Ｓ４０１：ＮＯ）、ＣＰＵ１０３は、ゲームの実行指示の入力の待ち受けを続行する。操作部１０２でゲームの実行指示が入力された場合は（Ｓ４０１：ＹＥＳ）、ＣＰＵ１０３は、ゲームの実行指示をコネクタ１０６から携帯電話機３へ入力する（Ｓ４０２）。
【００４５】
携帯電話機３は、コネクタ３１１でゲームの実行指示を受け付け（Ｓ４０３）、ＣＰＵ３０３は、ＲＯＭ３０５又はＲＡＭ３０４が記憶するゲームプログラムに従って、ゲームの処理を実行する（Ｓ４０４）。このとき、必要に応じてゲーム用の音声を音声入出力部３０８から出力する。ＣＰＵ３０３は、次に、ゲームの処理に伴って表示すべき画像に対応するゲーム用の画像信号をコネクタ３１１から充電装置１へ出力する（Ｓ４０５）。
【００４６】
充電装置１は、ゲーム用の画像信号をコネクタ１０６で携帯電話機３から受け付け（Ｓ４０６）、ＣＰＵ１０３は、受け付けたゲーム用の画像信号に対応する画像を表示部１０１に表示させる（Ｓ４０７）。ＣＰＵ１０３は、次に、使用者が操作部１０２を操作することにより、ゲーム用の処理指示が入力され（Ｓ４０８）、入力されたゲーム用の処理指示をコネクタ１０６から携帯電話機３へ入力する（Ｓ４０９）。
【００４７】
携帯電話機３は、コネクタ３１１でゲーム用の処理指示を受け付け（Ｓ４１０）、ＣＰＵ３０３は、受け付けた処理指示がゲームの終了指示であるか否かを判定する（Ｓ４１１）。受け付けた処理指示がゲームの終了指示ではない場合は（Ｓ４１１：ＮＯ）、ＣＰＵ３０３は、処理をステップＳ４０４へ戻し、ゲームの処理を継続する。受け付けた処理指示がゲームの終了指示である場合は（Ｓ４１１：ＹＥＳ）、ＣＰＵ３０３は、ゲームの処理を終了する。
【００４８】
以上詳述した如く、本実施の形態においても、携帯電話機３が充電装置１の装着部１０に装着された状態では、携帯電話機３が行うテレビ電話通信又はゲーム等の処理に必要な画像を充電装置１の表示部１０１で表示し、携帯電話機３は、充電装置１の操作部１０２に入力された処理指示に従ってテレビ電話通信又はゲーム等の情報処理を実行する。携帯電話機３での処理に必要な画像が充電装置１の表示部１０１の大きい表示画面に表示され、また携帯電話機３の操作部３０２よりも操作しやすい充電装置１の操作部１０３で処理指示の受付ができるので、携帯電話機３を単独で用いた場合よりも容易にテレビ電話通信又はゲーム等の処理を携帯電話機３に実行させることができる。
【００４９】
なお、本実施の形態においては、本発明に係る情報処理装置である携帯電話機３はテレビ電話機能を有する形態であるとしたが、テレビ電話機能を有していない携帯電話機３であっても、本発明の充電システムを構成することは可能である。
【００５０】
また、以上の実施の形態１及び２においては、本発明に係る情報処理装置として音楽プレーヤ２及び携帯電話機３を用いた例を示したが、本発明は、これに限るものではなく、携帯型の映像プレーヤ又はＰＤＡ等のその他の情報処理装置を本発明に係る情報処理装置として用いた形態であってもよい。また本発明の充電装置１は、音楽プレーヤ２又は携帯電話機３等の携帯型の情報処理装置を充電する装置であるとしたが、これに限るものではなく、パーソナルコンピュータ等の他の情報処理装置に更に接続され、情報処理装置間で情報を交換させることが可能なクレードルとしての機能を有する形態であってもよい。
【図面の簡単な説明】
【００５１】
【図１】本発明の充電装置の外観の例を示す斜視図である。
【図２】充電装置に音楽プレーヤが装着された本発明の充電システムの外観の例を示す斜視図である。
【図３】充電装置及び音楽プレーヤの内部の機能構成を示すブロック図である。
【図４】充電装置が音楽プレーヤを充電する処理の手順を示すフローチャートである。
【図５】音楽プレーヤが充電装置の装着部に装着された状態で音楽の音声を出力するために本発明の充電システムが行う処理の手順を示すフローチャートである。
【図６】充電装置に携帯電話機が装着された本発明の充電システムの外観の例を示す斜視図である。
【図７】携帯電話機の内部の機能構成を示すブロック図である。
【図８】携帯電話機が充電装置の装着部に装着された状態でテレビ電話通信を行うために本発明の充電システムが行う処理の手順を示すフローチャートである。
【図９】携帯電話機が充電装置の装着部に装着された状態でゲームを実行するために本発明の充電システムが行う処理の手順を示すフローチャートである。
【符号の説明】
【００５２】
１  充電装置
１０  装着部
１０１  表示部（表示手段）
１０２  操作部
１０３  ＣＰＵ
１０６  コネクタ
１０８  二次電池
２  音楽プレーヤ（情報処理装置）
３  携帯電話機（情報処理装置）
２０１、３０１  表示部
２０２、３０２  操作部
２０３、３０３  ＣＰＵ
２０９、３１０  二次電池
２１０、３１１  コネクタ
【図１】
2006320053.tif 000003
【図２】
2006320053.tif 000004
【図３】
2006320053.tif 000005
【図４】
2006320053.tif 000006
【図５】
2006320053.tif 000007
【図６】
2006320053.tif 000008
【図７】
2006320053.tif 000009
【図８】
2006320053.tif 000010
【図９】
2006320053.tif 000011